(57)【要約】【課題】本発明は、ディスプレイの高さを調節でき、また２つのディスプレイを装着できるディスプレイ固定装置を提供することを目的とする。【解決手段】本発明に係るディスプレイ固定装置は、ベースと、複数の貫通孔が設けられた延伸部と、複数の貫通孔が設けられた装着部と、ベースの上面に固定された固定部材と、を備える。前記固定部材の前側と後側には、複数の柱体がそれぞれ突設され、前記複数の柱体は、前記延伸部の貫通孔と装着部の貫通孔とにそれぞれ挿入され、前記延伸部の一側面、前記延伸部の一端面、前記装着部の一側面、および前記固定部材の上面には、ディスプレイに着脱可能に装着される固定部がそれぞれ突設されている。【選択図】図１
2014095898.tif 000002
【特許請求の範囲】
【請求項１】
ベースと、
複数の貫通孔が設けられた延伸部と、
複数の貫通孔が設けられた装着部と、
前記ベースの上面に固定された固定部材と、
を備えてなるディスプレイ固定装置であって、
前記固定部材の前側と後側とには、複数の柱体がそれぞれ突設され、前記複数の柱体は、前記延伸部の貫通孔と前記装着部の貫通孔とにそれぞれ挿入され、前記延伸部の一側面、前記延伸部の一端面、前記装着部の一側面、及び前記固定部の上面には、ディスプレイが着脱可能に装着される固定部がそれぞれ突設されていることを特徴とするディスプレイ固定装置。
【請求項２】
前記ディスプレイの後側には、該ディスプレイとの間に収容空間を形成する収容部が設けられ、各固定部は、前記収容空間に挿入される係合部を備えることを特徴とする請求項１に記載のディスプレイ固定装置。
【請求項３】
前記収容空間の両側には、収容孔がそれぞれ設けられ、各前記固定部は、前記収容孔にそれぞれ挿入されるピンを備えることを特徴とする請求項２に記載のディスプレイ固定装置。
【請求項４】
前記延伸部の貫通孔は、前記延伸部の第一端に設けられ、前記延伸部の前記固定部は、前記延伸部の第二端と、前記延伸部の一側面の前記第二端に近い箇所と、にそれぞれ設置されることを特徴とする請求項１から３の何れか一項に記載のディスプレイ固定装置。
【請求項５】
前記装着部の貫通孔は、前記装着部の第一端に設けられ、前記装着部の前記固定部は、前記装着部の一側面の前記装着部の第二端に近い箇所に設置されることを特徴とする請求項１から４の何れか一項に記載のディスプレイ固定装置。
【請求項６】
前記延伸部と、前記固定部材と、前記装着部とには、ネジを貫通させるための固定孔がそれぞれ設けられていることを特徴とする請求項１から５の何れか一項に記載のディスプレイ固定装置。
【請求項７】
前記延伸部の貫通孔と前記装着部との貫通孔は、それぞれ対応する前記延伸部及び前記装着部の前記固定孔を中心にして設けられ、前記固定部材の柱体は、前記固定部材の固定孔を中心にして突設されていることを特徴とする請求項６に記載のディスプレイ固定装置。
【請求項８】
前記延伸部と前記装着部とは、前記延伸部の一側面に設けられた前記固定部と前記装着部の一側面に設けられた前記固定部とが互いに離れるように配置され、且つ前記延伸部と前記装着部とは、前記固定部材に対して直交する方向に配置されるように、前記固定部材に固定された後、２つのディスプレイが固定されることを特徴とする請求項１から７の何れか一項に記載のディスプレイ固定装置。
【請求項９】
前記固定部材の固定部が前記ディスプレイに装着されることにより、前記ディスプレイが第一高さに固定され、
前記延伸部の端面にある固定部が前記ディスプレイに装着されることにより、前記ディスプレイを前記第一高さよりさらに高い第二高さまで固定できることを特徴とする請求項１から７の何れか一項に記載のディスプレイ固定装置。
【発明の詳細な説明】
【技術分野】
【０００１】
本発明は、ディスプレイ固定装置に関するものである。
【背景技術】
【０００２】
従来の技術において、コンピュータのディスプレイの大多数は、その高さを調節することができない。従って、ユーザにとって高さが合っていない場合、自身で調節できないことから、コンピュータの使用の際に疲れやすいという問題があった。また、１つのディスプレイで多数の画面を同時に見ることができず、また、ディスプレイを大型のディスプレイに換えた場合、コストがかかり、且つ不要となった小型ディスプレイが無駄になってしまう。
【発明の概要】
【発明が解決しようとする課題】
【０００３】
本発明の目的は、前記問題を解決し、ディスプレイの高さを調節でき、また２つのディスプレイを装着できるディスプレイ固定装置を提供することである。
【課題を解決するための手段】
【０００４】
上記目的を達成するために、本発明に係るディスプレイ固定装置は、ベースと、複数の貫通孔が設けられた延伸部と、複数の貫通孔が設けられた装着部と、ベースの上面に固定された固定部と、を備える。前記固定部の前側と後側には、複数の柱体がそれぞれ突設され、前記複数の柱体は、前記延伸部の貫通孔と装着部の貫通孔とにそれぞれ挿入され、前記延伸部の一側面、前記延伸部の一端面、前記装着部の一側面、および前記固定部の上面には、ディスプレイに着脱可能に装着される固定部がそれぞれ突設されている。
【発明の効果】
【０００５】
本発明に係るディスプレイ固定装置は、延伸部と装着部とは、それぞれの固定部が互いに離れるように位置し且つ固定部に対して垂直に固定されると、２つのディスプレイを固定できる。また、延伸部の端面に位置する固定部をディスプレイに装着すると、ディスプレイをより高い高さまで固定できる。
【図面の簡単な説明】
【０００６】
【図１】本発明の実施形態に係るディスプレイ固定装置と１つのディスプレイとの立体分解図である。
【図２】図１に示すディスプレイ固定装置とディスプレイとの立体組立図であり、ディスプレイが第一高さに固定されている状態を示す図である。
【図３】図１に示すディスプレイ固定装置とディスプレイとの立体組立図であり、ディスプレイが第一高さより更に高い第二高さに固定されている状態を示す図である。
【図４】図１に示すディスプレイ固定装置と２つのディスプレイとの立体組立図である。
【発明を実施するための形態】
【０００７】
図１及び図４に示したように、本発明の実施形態に係るディスプレイ固定装置は、１つのディスプレイ２０を異なる高さで固定する際に、又は２つのディスプレイ２０を同時に固定する際に使用される。各ディスプレイ２０の後側には、収容部２４０が突設され、収容部２４０の底部の両側には、限定部２４２がそれぞれ延出している。収容部２４０とディスプレイ２０との間には、収容空間２４４が設けられている。また、各限定部２４２は、収容部２４０に対して外部に向けてかつ収容部２４０に対して垂直に突出しており、該限定部２４２には収容孔２４６がそれぞれ設けられている。
【０００８】
ディスプレイ固定装置は、本体１２と、延伸部１４と、装着部１６と、を備える。
【０００９】
本体１２は、ベース１２０と、ベース１２０の上面に設置され且つ収容溝１２３が設けられた台部１２２と、収容溝１２３に収容されてベース１２０の上面に固定される固定部材１２４と、を備える。
【００１０】
固定部材１２４の上面には、固定部１２５が突設されている。固定部１２５は、係合部１２６と、係合部１２６の両側にそれぞれ位置する２つのピン１２８と、を備える。固定部材１２４における係合部１２６の下方には、固定孔１３０が設けられている。固定部材１２４の前側及び後側には、柱体１３２が固定孔１３０を中心に、固定孔１３０の上下左右にそれぞれ突設されている。
【００１１】
延伸部１４の左側面の底部には、固定部１４０が突設されている。また、延伸部１４の底面にも、固定部１４３が突設されている。固定部１４０は、係合部１４１と、該係合部１４１の上下にそれぞれ位置する２つのピン１４２とを備える。また、固定部１４３は、係合部１４４と、該係合部１４４の両側にそれぞれ位置する２つのピン１４６とを備える。延伸部１４の上部には、固定孔１００が設けられている。延伸部１４には、固定孔１００を中心に、固定孔１００の上下左右に、貫通孔１０２がそれぞれ設けられている。
【００１２】
装着部１６の右側面の底部には、固定部１６０が突設されている。固定部１６０は、係合部１６１と、係合部１６１の上下にそれぞれ位置する２つのピン１６２とを備える。装着部１６の上部には、固定孔１０４が設けられている。装着部１６には、固定孔１０４を中心に、固定孔１０４の上下左右に、貫通孔１０６がそれぞれ設けられている。延伸部１４の長さは、装着部１６の長さと、固定部材１２４の長さとに等しい。
【００１３】
図２に示したように、本体１２の係合部１２６は、１つのディスプレイ２０の収容空間２４４に挿入され、ピン１２８は収容孔２４６にそれぞれ挿入される。これによって、ディスプレイ２０を本体１２の上部に固定することができる。この時、ディスプレイ２０は第一高さに固定される。
【００１４】
次に、延伸部１４の底部及び装着部１６の底部を収容溝１２３内にそれぞれ収容する。この時、延伸部１４及び装着部１６は、固定部材１２４の前後にそれぞれ位置する。固定部材１２４の柱体１３２は、延伸部１４の貫通孔１０２と装着部１６の貫通孔１０６とにそれぞれ挿入される。ネジ４０は、延伸部１４の固定孔１００と、固定孔１３０と、装着部１６の固定孔１０４とを順に貫通した後、ナット５０に螺合させる。これによって、延伸部１４と装着部１６とを固定部材１２４の前後にそれぞれ固定することができる。
【００１５】
図３に示したように、ディスプレイ２０の高さを高くするには、先ずネジ４０と延伸部１４とを取り外し、次いで、延伸部１４の係合部１４４を延伸部１４の上部に位置するように延伸部１４を上下方向において１８０度回転させた後、延伸部１４に面する固定部材１２４の柱体１３２を再び延伸部１４の貫通孔１０２にそれぞれ挿入させる。次いで、ネジ４０を、延伸部１４の固定孔１００と、固定孔１３０と、装着部１６の固定孔１０４とに順に貫通させて、ナット５０に螺合させる。これによって、延伸部１４を固定部材１２４に固定する。次いで係合部１４４を、収容空間２４４に挿入し、ピン１４６を収容孔２４６にそれぞれ挿入させる。以上により、ディスプレイ２０を第一高さより更に高い第二高さまに位置させることができる。
【００１６】
図４に示したように、２つのディスプレイ２０を並列に装着する場合、先ずネジ４０と延伸部１４と装着部１６とを取り外し、次いで、延伸部１４の固定部１４０と装着部１６の固定部１６０とが互いに離れかつ同時に固定部１４０と固定部１６０とがそれぞれ上方に位置する方向に延伸部１４と装着部１６とを配置するように、固定部材１２４に対して直交する方向に延伸部１４と装着部１６０とを回転させた後、固定部材１２４の柱体１３２を、延伸部１４の貫通孔１０２と装着部１６の貫通孔１０６とにそれぞれ挿入させる。次いでネジ４０を、延伸部１４の固定孔１００と、固定孔１３０と、装着部１６の固定孔１０４とに順に貫通させた後、ナット５０に螺合させる。これによって、延伸部１４と装着部１６を固定部材１２４の前後にそれぞれ固定する。最後に、係合部１４１及び１６１を、２つのディスプレイの後側に突設された収容空間２４４にそれぞれ挿入させ、ピン１４２と１６２を、対応する収容孔２４６に挿入させる。
【００１７】
以上、本発明を実施形態に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲から決まる。
【符号の説明】
【００１８】
１００、１０４、１３０  固定孔
１０２、１０６  貫通孔
１２  本体
１２０  ベース
１２２  台部
１２３  収容溝
１２４  固定部材
１２５、１４０、１４３、１６０  固定部
１２６、１４１、１４４、１６１  係合部
１２８、１４２、１４６、１６２  ピン
１３２  柱体
１４  延伸部
１６  装着部
２０  ディスプレイ
２４０  収容部
２４４  収容空間
２４２  限定部
２４６  収容孔
４０  ネジ
５０  ナット
【図１】
2014095898.tif 000003
【図２】
2014095898.tif 000004
【図３】
2014095898.tif 000005
【図４】
2014095898.tif 000006